(57)【特許請求の範囲】
【請求項１】
建築、構築物の既存壁に開口部が形成されている既存壁面を新規外壁で改修する構造において、少なくとも開口部の左右に、建築、構築物の躯体を構成する土台、胴差し、棟桁もしくは妻梁のいずれか２つ以上を連結する補強材を既存壁上から配設、固定すると共に、該補強材上から乾式横張り外壁材からなる新規外壁を形成し、かつ、開口部の上下に位置する乾式横張り外壁材は長尺状で開口部左右の補強材同士を連結することを特徴とする外壁改修構造。
【発明の詳細な説明】
【０００１】
【産業上の利用分野】
本発明は建築、構築物の既存壁を新規外壁で改修するための構造に関するものであり、さらに詳しくは、古くなった既存の躯体、既存壁の強度を向上する補強材および補強補助材を配設して、建物の強度を向上させた後に新規外壁を形成する改修の構造に関するものである。
【０００２】
【従来の技術】
従来、この種の外壁改修構造としては、古くなった既存の外壁をすべて撤去して、既存の躯体や胴縁等の壁下地材に新規外壁を形成する構造や、既存の外壁材上に直に、もしくは、新規胴縁や防水シートを介して新規外壁を取り付ける構造が一般的であった。
【０００３】
【発明が解決しようとする課題】
しかしながら、このような改修構造では古くなった既存の外壁と新規外壁を交換することや、傷んだ既存の外壁上に新規外壁を形成して、既存壁を隠蔽することの技術思想のみであり、古くなった建物の既存の躯体、あるいは既存壁を補強し、強度を向上させる技術思想は全く考慮に入れられていなかった。このため、改修後の建物の躯体には負担が係り、強度的に弱く、特に耐震性に極端に劣り、地震等の発生で新規外壁が脱落したり、躯体の破損、建物の崩壊等の被害が発生することもあった。また、既存壁に窓や玄関等の開口部が形成してあった際には、特に開口部周囲の躯体強度に弱点があった。
【０００４】
【課題を解決するための手段】
本発明はこのような欠点を除去するため、既存壁を新規外壁で改修する前に、少なくとも開口部の左右に、建築、構築物の躯体を構成する少なくとも土台、胴差し、棟桁もしくは妻梁のいずれか２つ以上を連結する補強材を既存壁上から配設、固定すると共に、補強材上に横張り状の乾式壁材からなる新規外壁を形成し、開口部上下に位置する新規外壁は長尺状として開口部左右の補強材同士を連結する改修構造としたので、改修により躯体強度を向上させると共に、特に強度に劣る開口部周囲の強度を向上させ、耐震性に強い外壁改修構造を提案するものである。
【０００５】
【実施例】
以下に図面を用いて本発明に係る外壁改修構造の一実施例について詳細に説明する。図１（ａ）、（ｂ）および図２（ａ）、（ｂ）は上記外壁改修構造の一例を示す説明図であり、Ａは既存建物の躯体、Ｂは既存壁、Ｃは補強材、Ｄは新規外壁である。すなわち、図１（ａ）、（ｂ）は新規外壁Ｄの施工後を示すものであり、図１（ｂ）は補強材Ｃの配設位置を２点鎖線で示したものである。図２（ａ）、（ｂ）は新規外壁Ｄの施工前、すなわち既存壁Ｂに補強材Ｃを配設したところを説明するものであり、特に図２（ｂ）では便宜上既存壁Ｂを省略して示すと共に、新規外壁を一点鎖線で示したものである。
【０００６】
躯体Ａは図２（ｂ）に示すように、垂直方向に伸びる主柱１、間柱２、および水平方向に伸びる土台３、軒桁もしくは妻梁４とから構成される一般的なものである。勿論、これらは木造構造の建物での名称であり、鉄骨造構造ではこれらの位置に、Ｈ型鋼材、角形鋼材、Ｃ型鋼材等が配設されているものである。なお、図では便宜上既存壁Ｂを省略して示してあるものである。
【０００７】
また、既存壁Ｂは、躯体Ａの外側面に例えば木摺、防水シート、ラスシート、モルタル壁材の順に配設、施工されたモルタル壁からなるもの、もしくは、躯体Ａ上に胴縁を設け、防水シート、金属サイディング、窯業系サイディング、ＡＬＣパネル、タイル、塩ビ押出サイディング等の乾式壁材等からなるものである。
【０００８】
また、Ｃは補強材であり、図１（ｂ）、図２（ａ）、（ｂ）に示すように既存壁Ｂ上から既存壁Ｂを介して躯体Ａに、釘、スクリュービス、テクス、アンカー、アンカーボルト等の固定具αによって取り付け、古くなった躯体Ａおよび既存壁Ｂの強度を向上するものである。
【０００９】
補強材Ｃは図３（ａ）に示すように、例えば幅狭の長尺薄板状の鋼材、木材、合成樹脂材、アルミ押出材、カラー鋼板、あるいはこれらの複合材等からなるものである。
【００１０】
また、補強材Ｃは図２（ｂ）に示すように既存壁Ｂに形成されている窓、玄関等の開口部βの左右に、躯体Ａを構成し、水平方向に伸びる土台３、軒桁もしくは妻梁４のいずれか２つ以上を連結するように、既存壁Ｂ上から筋交い的に配設、固定し、建物の躯体Ａ強度を向上させるものである。さらに、補強材Ｃは、壁面の対角を互いにクロスするように筋交い的に配設した方が強度的に好ましく、勿論、垂直方向に伸びる主柱１、間柱２にも固定具αを用いて、補強材Ｃを固定することもできるものである。また、図３（ｂ）に示すように、補強材Ｃと躯体Ａとの固定は釘等の固定具αを複数用いて固定するのが強度的に好ましいものである。
【００１１】
さらに、図１、図２は１階建ての建物の例であるので、１階部分と２階部分を連結する胴差し５が存在しないものであり、その際は土台３と軒桁もしくは妻梁４とを補強材Ｃで連結することになるものである。また、建物が２階建て以上の際には土台３と軒桁もしくは妻梁４との間に胴差し５の数が順次増えるものであり、その際には、胴差し５同士を補強材Ｃで連結する場合も生じるものである。
【００１２】
Ｄは新規外壁であり、図４に示すような金属サイディング材、もしくは、窯業系サイディング材、塩ビ押出サイディング材、ＡＬＣパネル、タイル、金属パネル等からなる横張り状の乾式外壁材からなるものであり、軽量で強度もあり施工容易な点から金属サイディングが好ましいものである。また、新規外壁Ｄは補強材Ｃおよび既存壁Ｂ上から直接、主柱１、間柱２等の躯体Ａに固定具αを介して順次取り付けられ、建物の外表面を多い、意匠性、断熱性、防音性、防火性等をさらに向上させるものである。９は表面材、１０は芯材、１１は裏面材である。
【００１３】
また、新規外壁Ｄは既存壁Ｂに形成されている開口部βの上下部分は長尺状とするものであり、開口部βの左右に形成される補強材Ｃ同士を少なくとも１枚ものの新規外壁Ｄにて連結するものである。すなわち、新規外壁Ｄは筋交いとして使用された補強材Ｃの効果を開口部βの上下部分にわたって連続的に作用させるものであり、長尺状の新規外壁Ｄを配設することで、開口部β周囲の上下左右すべての面の躯体Ａ強度を大幅に向上させるものである。
【００１４】
次に、本発明に係る外壁改修構造の施工方法について説明する。先ず、図２（ａ）、（ｂ）に示すように、モルタル壁からなる既存壁Ｂ上に図３（ａ）に示すような長尺板状の補強材Ｃ２本を、図２（ａ）に示すように建物の開口部βの左右に対角線上にクロスさせるように配設し、固定具αによって、土台３と軒桁もしくは妻梁４をそれぞれ連結し、既存の躯体Ａおよび既存壁Ｂの強度を補強し、向上させる。
【００１５】
そして、図１に示すように、金属サイディング材からなる新規外壁Ｄを補強材Ｃ上から、主柱１、間柱２等の躯体Ａに釘等の固定具αを用いて、順次取り付け、施工し、特に開口部βの上下部分では、開口部βの左右の補強材Ｃを連結するように長尺状で１枚ものの新規外壁Ｄを開口部βの上下に水平に配設し主柱１、間柱２に固定具αにて固定し、開口部β周囲の強度を向上するものである。勿論、新規外壁Ｄの形成に際しては、土台部６、開口部β周囲、出隅部７部分にはジョイナー、水切り、スタータ、出隅セット等の各種役物を使用するものである。
【００１６】
【発明の効果】
以上説明したように本発明に係る外壁改修構造によれば、従来の欠点を解決し、（１）既存の躯体もしくは既存の外壁の強度を補強する補強材を開口部の左右に配設し、長尺状の乾式壁材で左右の補強材を連結するので既存壁に開口部が存在しても建物全体の強度を向上させ、水平方向の荷重に強く地震等の振動や、台風等の外圧に強い構造となる。（２）既存壁を解体する必要がないので、施工工数を省略できると共に、工期を大幅に短縮することができ、しかも施工中の居住に何等支障を来さない。（３）既存壁上に直接新規外壁を形成するので、施工が簡単でコストを節約できる。（４）既存壁と新規外壁の２重壁構造となり、断熱性、防音性、防火性に富む構造となる。等の特徴、効果がある。
【図面の簡単な説明】
【図１】本発明に係る外壁改修構造の代表例を示す説明図である。
【図２】本発明に係る外壁改修構造の代表例を示す説明図である。
【図３】本発明に用いる補強材の例を示す説明図である。
【図４】本発明に用いる新規外壁の例を示す説明図である。
【符号の説明】
α  固定具
β  開口部
Ａ  躯体
Ｂ  既存壁
Ｃ  補強材
Ｄ  新規外壁
１  主柱
２  間柱
３  土台
４  軒桁もしくは妻梁
５  胴差し
６  土台部
７  出隅部
９  表面材
１０  芯材
１１  裏面材
【図１】
0003600963.tif 000002
【図２】
0003600963.tif 000003
【図３】
0003600963.tif 000004
【図４】
0003600963.tif 000005